(57)【特許請求の範囲】
【請求項１】
台板（１４）とこの台板（１４）の両側縁部に形成した止め片（１５）とを有する縦方向に延びるシートジョイント（ｅ）を仮設建築物の縦方向に延びる骨組みパイプ（１１）に固定する第１のクランプ（ｂ）と、同じく台板（１４）とこの台板（１４）の両側縁部に形成した止め片（１５）とを有する横方向に延びるシートジョイント（ｆ）を横方向に延びる短パイプ（５）に固定する第２のクランプ（ｃ）とより成り、上記第１，第２のクランプ（ｂ，ｃ）の夫々は対応するシートジョイント（ｅ，ｆ）の夫々の止め片（１５）に引掛ける掛け片（１）を先端部内側に形成した両側腕（２，３）と、この両側腕（２，３）の基部を伸縮可能に連結するレバー（４）とより成り、上記第１のクランプ（ｂ）の一方の側腕（２）が上記短パイプ（５）の端部に固定されていることを特徴とする仮設建築物の端部におけるシートジョイントの固定用受け具。
【発明の詳細な説明】
【０００１】
【産業上の利用分野】
本発明は、土木，建築の作業現場の仮設建築物に防寒等のために張設するシート体の横シートジョイントを仮設建築物の端部の骨組みパイプに連結して固定する仮設建築物の端部におけるシートジョイントの固定用受け具に関するものである。
【０００２】
【従来の技術】
従来のこの種の仮設建築物の端部におけるシートジョイントの固定用受け具は、見当らない。
【０００３】
【発明が解決しようとする課題】
仮設建築物に張設するシート体は、そのシートを連結する横シートジョイントを仮設建築物の骨組みパイプに連結して固定しないと、シートの張設が不安定である。
【０００４】
【課題を解決するための手段】
本発明は、仮設建築物の端部の骨組みパイプの任意箇所に簡易迅速且つ堅固に取付け、シートを接続する横シートジョイントの端部を確実に上記骨組みパイプに連結固定してシート体を適確に張設保持することができ、その上、反復使用し得て経済性を向上した仮設建築物の端部におけるシートジョイントの固定用受け具を提供することを目的とする。この目的を達成する本発明の仮設建築物の端部におけるシートジョイントの固定用受け具は、台板（１４）とこの台板（１４）の両側縁部に形成した止め片（１５）とを有する縦方向に延びるシートジョイント（ｅ）を仮設建築物の縦方向に延びる骨組みパイプ（１１）に固定する第１のクランプ（ｂ）と、同じく台板（１４）とこの台板（１４）の両側縁部に形成した止め片（１５）とを有する横方向に延びるシートジョイント（ｆ）を横方向に延びる短パイプ（５）に固定する第２のクランプ（ｃ）とより成り、上記第１，第２のクランプ（ｂ，ｃ）の夫々は対応するシートジョイント（ｅ，ｆ）の夫々の止め片（１５）に引掛ける掛け片（１）を先端部内側に形成した両側腕（２，３）と、この両側腕（２，３）の基部を伸縮可能に連結するレバー（４）とより成り、上記第１のクランプ（ｂ）の一方の側腕（２）が上記短パイプ（５）の端部に固定されていることを特徴とする。
【０００５】
すなわち、先端部内側に掛け片（１）を設けた両側腕（２），（３）の基部をレバー（４）の操作により開閉するように連結してクランプ（ｂ）を形成し、該クランプ（ｂ）の一側腕（２）を短パイプ（５）の他端部に固定して仮設建築物の端部におけるシートジョイントの固定用受け具（ａ）を構成し、仮設建築物の端部の骨組みパイプの任意箇所に簡易迅速且つ堅固に取付け、シートを接続する横シートジョイントの端部を確実に上記骨組みパイプに連結固定してシート体を適確に張設保持することができ、その上、反復使用し得て経済性を向上する目的を、掛け片付き両側腕を備えたクランプの一側腕を短パイプの端部に固定することにより実現した。
【０００６】
【実施例】
図面は、本発明の一実施態様を示し、その構成を図面について説明すれば、（ａ）は仮設建築物の端部におけるシートジョイントの固定用受け具、（ｂ）は固定用受け具（ａ）のクランプを示し、（２），（３）はクランプ（ｂ）の両側腕で、その一側腕（２）は鉄板を外方への凸円弧状に弯曲し、他側腕（３）は線材を屈曲して成り、該一側腕（２）及び他側腕（３）の先端部内側には掛け片（１）をそれぞれ形成する。そして、一側腕（２）の基部の外方屈曲片（６）にレバー（４）の基部をピン（７）により枢着し、該レバー（４）の中間部に他側腕（３）の基部を回動自在に嵌着してクランプ（ｂ）を構成する。
【０００７】
（５）は短パイプで、該短パイプ（５）の他側において１対のクランプ（ｂ）を僅小間隙を設けて上下に並置し、その１対のクランプ（ｂ）の一側腕（２）を短パイプ（５）の他端縁の上部及び下部にそれぞれ固着して固定用受け具（ａ）を構成する。
【０００８】
（ｃ）はクランプ（ｂ）と同様に構成した単独のクランプである。
【０００９】
（Ａ）は仮設建築物を示し、（８）は梯子型建枠で、多数の梯子型建枠（８）を適当間隔に並設し、図示してないが、隣接する梯子型建枠（８）を筋交い，横材等により連結して仮設建築物（Ａ）の周囲の骨組みを行う。
【００１０】
（９）はＩ形鋼の前後の横材、（１０）はパイプを山形に組立てて形成した屋根ビームで、前後の横材（９）上にわたして多数の屋根ビーム（１０）を適当間隔に並設し、図示してないが、隣接する屋根ビーム（１０）を筋交い等により連結して仮設建築物（Ａ）の屋根の骨組みを行う。
【００１１】
（１１）は仮設建築物（Ａ）の端部における梯子型建枠（８）の外側の骨組みパイプである。
【００１２】
（ｄ）は仮設建設物（Ａ）の周囲及び屋根に張設するシートで、防寒材のマットを合成樹脂製シートにより被覆し、その合成樹脂製シートの縁部を突出させて該合成樹脂製シートの端縁部を軟質合成樹脂製丸棒またはロープに巻付け固定し、シート（ｄ）の端縁部に薄肉首部（１２）を形成して係止棒体（１３）を設ける。
【００１３】
（ｅ），（ｆ）は縦，横の長尺のシートジョイントで、合成樹脂，アルミニウム等より成り、断面外方への凸円弧状で縦長の台板（１４）の両側縁部に台板（１４）の全長にわたる止め片（１５）を形成して外方に両側の縦パイプ（１６）を並設し、その両側縦パイプ（１６）の反対向側部に縦パイプ（１６）の全長にわたるスリット（１７）をそれぞれ設けて成る。
【００１４】
その作用を説明する。数枚のシート（ｄ）を縦横に並置し、その左右に隣接するシート（ｄ）は、シート（ｄ）の接続側の薄肉首部（１２）を縦シートジョイント（ｅ）の両側縦パイプ（１６）のスリット（１７）内にそれぞれ通し係止棒体（１３）を縦パイプ（１６）内に挿入してその係止棒体（１３）を縦パイプ（１６）内に嵌着する。また、上下に隣接するシート（ｄ）は、図７に示すようにシート（ｄ）の接続側の薄肉首部（１２）を横シートジョイント（ｆ）の両側縦パイプ（１６）のスリット（１７）内にそれぞれ通し係止棒体（１３）を縦パイプ（１６）内に挿入してその係止棒体（１３）を縦パイプ（１６）内に嵌着する。そして、数枚のシート（ｄ）を縦横のシートジョイント（ｅ），（ｆ）により縦横に接続して所要大きさのシート体を形成する。
【００１５】
また、上記シート体の両側端部の係止棒体（１３）は、図８に示すように縦シートジョイント（ｅ）の一側の縦パイプ（１６）内に挿入して嵌着する。
【００１６】
そこで、図５に示すように上記シート体を仮設建築物（Ａ）の周囲の骨組みの外面に当てる。
【００１７】
そして、仮設建築物（Ａ）の隅部等の端部においては、図８に示すように上記シート体の端部の縦シートジョイント（ｅ）の台板（１４）を端部の梯子型建枠（８）の骨組みパイプ（１１）の外側面に当てる。
【００１８】
一方、クランプ（ｃ）のレバー（４）を外方へ向けてクランプ（ｃ）の基部を開いた状態になし、図７の上部に示すように適当箇所において骨組みパイプ（１１）の内側部に当ててそのクランプ（ｃ）の両側腕（２），（３）の掛け片（１）を縦シートジョイント（ｅ）の台板（１４）の両側止め片（１５）にそれぞれ引掛けた後、レバー（４）を内方へ回動操作すると、クランプ（ｃ）の両側腕（２），（３）の基部が閉じ、縦シートジョイント（ｅ）の台板（１４）とクランプ（ｃ）の両側腕（２），（３）により骨組みパイプ（１１）を挟持してシート体の端部の縦シートジョイント（ｅ）はクランプ（ｃ）により骨組みパイプ（１１）に圧接固定する。
【００１９】
次いで、シート体の横シートジョイント（ｆ）に対応する位置において、受け具（ａ）の上下のクランプ（ｂ）のレバー（４）を図３に鎖線で示すように外方へ向けて該クランプ（ｂ）の基部を開いた状態になし、図８に示すように受け具（ａ）の上下のクランプ（ｂ）を骨組みパイプ（１１）の内側部に当ててその上下のクランプ（ｂ）を上記と同様に操作すれば、縦シートジョイント（ｅ）の台板（１４）と受け具（ａ）の上下のクランプ（ｂ）の両側腕（２），（３）により骨組みパイプ（１１）を挟持して受け具（ａ）は骨組みパイプ（１１）に圧接固定する。
【００２０】
次いで、図８に示すように受け具（ａ）の短パイプ（５）の外側面にシート体の横シートジョイント（ｆ）の台板（１４）の端部を当てる。
【００２１】
その後、図８に示すように受け具（ａ）の短パイプ（５）部において、クランプ（ｃ）のレバー（４）を外方へ向けて該クランプ（ｃ）の基部を開いた状態になし、クランプ（ｃ）を短パイプ（５）の内側部に当ててそのクランプ（ｃ）を上記と同様に操作すると、シート体の横シートジョイント（ｆ）の台板（１４）の端部とクランプ（ｃ）の両側腕（２），（３）により短パイプ（５）を挟持してその横シートジョイント（ｆ）の端部はクランプ（ｃ）により短パイプ（５）に圧接固定する。従って、シート体の横シートジョイント（ｆ）の端部はクランプ（ｃ）及び受け具（ａ）を介して骨組みパイプ（１１）に連結固定される。
【００２２】
一方、仮設建築物（Ａ）の屋根においても、図５に示すようにシート体を仮設建築物（Ａ）の屋根の骨組み上に載置すると共に、そのシート体の端部の縦シートジョイント（ｅ）の台板（１４）を端部の屋根ビーム（１０）の骨組みパイプ（１１）の上面に当て、上記と同様に操作してシート体の端部の縦横のシートジョイント（ｅ），（ｆ）を骨組みパイプ（１１）に取付けると、シート体の縦横のシートジョイント（ｅ），（ｆ）を端部の屋根ビーム（１０）の骨組みパイプ（１１）に連結固定して屋根の骨組み上にシート体を張設することができる。
【００２３】
なお、クランプ（ｂ），（ｃ）の両側腕（２），（３）の基部のレバー（４）による開閉操作機構は、上記構成のものに代えて他の構成の開閉操作機構になしてもよい。
【００２４】
【発明の効果】
本発明の仮設建築物の端部におけるシートジョイントの固定用受け具は、下記のような利点がある。
【００２５】
（１）  端部の骨組みパイプの外側面に縦シートジョイントの台板を当て、その後、受け具のクランプの基部が開いた状態で該クランプを上記骨組みパイプの内側部に当ててそのクランプの両側腕先端の掛け片を上記縦シートジョイントの台板の両側止め片にそれぞれ引掛けた後、上記クランプの両側腕の基部をレバーによって閉じると、端部の骨組みパイプに縦シートジョイントを圧接固定すると共に、受け具も固定して取付けられる。従って、
【００２６】
（イ）  受け具の取付け操作が簡易で、骨組みパイプに縦シートジョイントと受け具を同時に締付け固定し得て作業性が良い。
【００２７】
（ロ）  骨組みパイプへの縦シートジョイント及び受け具の取付けは確実堅固である。
【００２８】
（ハ）  骨組みパイプへの受け具の取付けに熟練を要することなく、素人でも作業できる。
【００２９】
（ニ）  骨組みパイプへの受け具の取付けがワンタッチ式であるから、受け具の取付け方にばらつきが無い。
【００３０】
（ホ）  受け具は骨組みパイプの任意箇所で取付け得るから、適確にシート体の横シートジョイントに対向させて端部の骨組みパイプに固定することができる。
【００３１】
（２）  シート体の横シートジョイントの台板の端部を受け具の短パイプの外側面に当ててその横シートジョイントの台板の端部と受け具の短パイプをクランプにより締付け固定すると、シート体の横シートジョイントの端部が受け具を介して端部の骨組みパイプに連結固定されるから、シート体を確実に張設保持することができる。
【００３２】
（３）  受け具の他側には突出物が無いから、受け具が仮設建築物の外方へ突出しなくて作業および安全上有益である。
【００３３】
（４）  受け具は反復使用し得て経済的である。
【００３４】
（５）  簡単に構成して容易安価に製作できる。
【図面の簡単な説明】
【図１】本発明の一実施態様を示す仮設建築物の端部におけるシートジョイントの固定用受け具の背面図である。
【図２】同上側面図である。
【図３】同上平面図である。
【図４】同上斜視図である。
【図５】その固定用受け具を使用してシートを張設した仮設建築物の一部の側断面図である。
【図６】同上要部の拡大背面図である。
【図７】図６のＰＰ線断面図である。
【図８】図６のＱＱ線断面図である。
【符号の説明】
Ａ  仮設建築物
ａ  固定用受け具
ｂ  クランプ
ｃ  クランプ
ｄ  シート
ｅ  縦シートジョイント
ｆ  横シートジョイント
１  掛け片
２  一側腕
３  他側腕
４  レバー
５  短パイプ
６  外方屈曲片
７  ピン
８  梯子型建枠
９  横材
１０  屋根ビーム
１１  骨組みパイプ
１２  薄肉首部
１３  係止棒体
１４  台板
１５  止め片
１６  縦パイプ
１７  スリット
【図１】
0003852038.tif 000002
【図２】
0003852038.tif 000003
【図３】
0003852038.tif 000004
【図４】
0003852038.tif 000005
【図５】
0003852038.tif 000006
【図６】
0003852038.tif 000007
【図７】
0003852038.tif 000008
【図８】
0003852038.tif 000009